(57)【要約】  ビデオカメラ支持デバイスは、操作者（１）によって着用されるハーネスと、ビデオカメラの重量を操作者の両肩に移すことを可能にする他の部材とによって形成され、それによってビデオカメラを支える肩から重量を一部持ち上げる。レセプタクルシース（３）に収容するための下端部と他方の上端部とを有する支持脚（４）と、支持脚（４）を通じて、レセプタクルシース（３）次いで伸縮バンド（２）に重量の一部を伝達するビデオカメラ（６）を連結するための支持脚（４）の上端部と結合する連結機構（５）との組み込みに加えて、ハーネス（１）は、カメラの操作者の胴及び背中の周りに取り付けるための伸縮バンド（２）と、伸縮バンド（２）から延びるレセプタクルシース（３）とによって形成される。
2018505448.tif 000002
【特許請求の範囲】
【請求項１】
ビデオカメラの重量を分配するためのビデオカメラ支持デバイスにおいて、前記ビデオカメラ支持デバイスは、
肩と前記肩の反対側の脇腹との間で、カメラの操作者の胴及び背中の周りに斜めに取り付けるための伸縮バンド（２）と、前記伸縮バンド（２）から延びるレセプタクルシース（３）と、によって形成されるハーネス（１）、
前記レセプタクルシース（３）に収容する一方の下端部と、他方の上端部と、を有する支持脚（４）、及び
ビデオカメラ（６）の重量の一部が前記支持脚（４）を通じて、前記レセプタクルシース（３）に伝達し、次に前記伸縮バンド（２）に伝達するように、前記ビデオカメラ（６）を連結するために、前記支持脚（４）の前記上端部と結合する連結機構（５）、
を備えることを特徴とするビデオカメラ支持デバイス。
【請求項２】
請求項１に記載のビデオカメラ支持デバイスであって、前記連結機構（５）は、前記ビデオカメラ（６）の支持部材を取り付けるためのガイド（８）と、前記ビデオカメラ（６）の連結を確実に行うクイック連結部材（９）と、を備えることを特徴とする、ビデオカメラ支持デバイス。
【請求項３】
請求項１又は２に記載のビデオカメラ支持デバイスであって、前記連結機構（５）及びそこに連結される前記ビデオカメラ（６）が前記支持脚（４）に対して第１関節（１０）の周りをスイベルで回転することを可能にする第１関節（１０）を、前記連結機構（５）と前記支持脚（４）の前記上端部との間にさらに備えることを特徴とする、ビデオカメラ支持デバイス。
【請求項４】
請求項３に記載のビデオカメラ支持デバイスであって、前記支持脚（４）に対して前記連結機構（５）ひいては前記ビデオカメラ（６）の位置の固定を可能にする、前記第１関節（１０）と結合する固定部材（１１）をさらに備えることを特徴とする、ビデオカメラ支持デバイス。
【請求項５】
請求項１に記載のビデオカメラ支持デバイスであって、前記伸縮バンド（２）につながり、肩に前記デバイスの接触面を構成するパッド入りの補強材（７）をさらに備えることを特徴とする、ビデオカメラ支持デバイス。
【請求項６】
請求項１に記載のビデオカメラ支持デバイスであって、前記ハーネス（１）は、前記伸縮バンド（２）が前記レセプタクルシース（３）の周りをスイベルで回転することを可能にする第２関節（１４）を、前記伸縮バンド（２）と前記レセプタクルシース（３）との間に含むことを特徴とする、ビデオカメラ支持デバイス。
【発明の詳細な説明】
【技術分野】
【０００１】
本発明は、疲れを軽減し、けがを最小限にし、映像のより高い質を得ながら、カメラの操作者が快適に映像を録画するために、ユーザの両肩へのカメラの重量の分配を容易にすることを意図したビデオカメラ支持デバイスに関する。
【０００２】
本デバイスは、操作者によって着用されるハーネスと、ハーネスが片方の肩へビデオカメラの重量を分配するように、通常、操作者が片方の肩で持ち運んで作業するビデオカメラの重量をハーネスに移すことを可能にする他の装具部材とを含み、それにより、ビデオカメラを支える肩から重量を部分的に減らす種類のデバイスである。
【背景技術】
【０００３】
映画産業から受け継がれた仕事のスタイルは、常に変化する社会とつながる様々な方法から来る需要に従って進化してきた。それゆえ、コンテンツの更新は加速し、リアルタイムの情報へと発展し、カメラの操作者を、仕事の装備を備えて世界中で情報又は報道活動を行うのに適格な、実質的に自立した専門家に変えてきた。
【０００４】
実際、１９７０年代の間、拡大光学が実施され、現地報告を可能にして電子的ニュース取材（Ｅｌｅｃｔｒｏｎｉｃ  Ｎｅｗｓ  Ｇａｔｈｅｒｉｎｇ）つまりＥＮＧを生じさせた、より小さなマグネットスコープ（ｍａｇｎｅｔｏｓｃｏｐｅｓ）が開発された。
【０００５】
技術の発展にも関わらず、この装備は、ほとんどの場合、重くて不快で危険ですらあり、操作者がより低質な仕事を生み出すことを強いて、職業病まで発展する筋肉痛や苦痛を引き起こすことさえした。
【０００６】
この種の、電子的な報道つまりＥＮＧにおいて、長い間、一方の肩でビデオカメラの重量を支えることはより困難なことであり、筋肉痛や苦痛が悪化する場合は撮影を大抵やめざるを得ない専門家に疲労の状況を生み出し、より低い質の録画を生み出す。全ての場合において、このような状況は職業病へと発展する。
【０００７】
静止した及び／又は強制された姿勢でカメラを使用する場合、用いられる技術に応じて、当該技術に起因して、７ｋｇから１１ｋｇまで変動するカメラの重量は、人間工学の観点からすると、グラフィックレポーター（ｇｒａｐｈｉｃ  ｒｅｐｏｒｔｅｒｓ）にとって問題のある特有の因子である。
【０００８】
レポーターの最も一般的な作業姿勢は、カメラを肩に乗せながら立つ姿勢である。多くの場合、レポーターは、数秒で撮影及び反応をする準備をして、カメラを肩に乗せて待つことに、一見終わりの無い期間を費やすことを強いられる。このことは、グラフィックレポーターが、胴の屈曲、過伸展、回転、及びラテラリゼーション（ｌａｔｅｒａｌｉｓａｔｉｏｎ）、しばしば組み合わされる姿勢を伴って、一方の肩でカメラの重量を支えることによる腰部及び背中のけがをする危険性があることを意味する。
【０００９】
米国特許第６７６４２３１号明細書は、操作者の体に取り付けるためのカメラ支持具を開示する。そのカメラ支持具は、肩に取り付けられ、細長い部材又は一片を有するハーネスによって形成される。その細長い部材又は一片は、下方に延び、関節が取り付けられる。その関節から、調整可能に傾斜して伸縮自在で上方に向き、カメラの位置を固定するために上端部に固定手段を有する柱が延びる。この支持具は、カメラを持つ手を自由にすることを可能にし、専門的又は非常に大きなビデオカメラと共に使用することには適していないが、写真用カメラと共に使用することを特に意図したものである。
【発明の概要】
【００１０】
本発明によって提案されるビデオカメラ支持デバイスは、特有の構成の効果によって説明される問題を十分に解決する。その特有の構成は、カメラの重量を両方の肩に等しく分配することを容易にし、疲れ、痛み及び苦痛を軽減し、けがの危険性を最小限にする。
【００１１】
本デバイスは、基本的に、肩及び腰に交差して配置されて、カメラの操作者の体の周りに取り付けるための適当な形状を有する１つの伸縮バンドとバンドにおいてある部分から延びるレセプタクルシースとによって形成されたハーネス、及びレセプタクルシースに収容するための一端部とビデオカメラを支持するための連結部材を有する連結機構と結合する他端部とを有する支持脚、を含む。
【００１２】
ビデオカメラは、操作者の肩の片方と、カメラに連結され下方に延びる支持脚とに置かれ、次いで、前記支持脚はレセプタクルシースに置かれる。バンドは伸縮するので、支持脚に伝達され、そこからレセプタクルシースまで伝達されるカメラの重量は、レセプタクルシースと結合する伸縮バンドの張り及び伸びと、伸縮バンドを通じてカメラを保持する操作者の他方の肩へのカメラの重量の一部の伝達とをもたらし、それによって操作者の両方の肩にカメラの重量の分配を可能にする。
【００１３】
それゆえ、本デバイスは、両方の肩へのカメラの重量の分配を可能にし、操作者のバランスを確実に向上させるので、人間工学の基準で非常に効果的である。
【００１４】
また、腕の使用がもっぱらカメラの制御を扱うためであって、重量を支えるためではないという事実のため、本デバイスは、滑らかで安定して動いてカメラを操作することを可能にし、身体的な装具無しでより長期間作業すること、及びよりよいショットを撮ることを可能にする。さらに、本デバイスは、肩、腕、前腕のけがと、腰部及び背中のけがとを起こす危険性を最小限にし、操作者の職業生命をのばす。
【００１５】
本デバイスによって達成される重量の分配は、極端なローアングル又はハイアングルのショットを撮るときでさえ、まっすぐでバランスのとれた方法で体を配置することを可能にし、ショットの質を向上させる。本デバイスによって提供されるカメラのより優れた安定性は、まっすぐでバランスのとれた体の姿勢を維持しながら、ストレスを軽減した方法で、ひいては、より優れた動きの自由と、カメラのスイッチ及びボタンと視覚的な制御とを利用できることとを伴って、操作者が手を使うことを可能にする。
【００１６】
連結機構は、好ましくは速やかに接続するタイプである前述の連結部材によって連結機構に固定されるカメラの支持面を受け入れるためのガイド又は筐体を有することが考えられた。
【００１７】
好ましくは、連結機構は、連結機構及びそこへ連結されるカメラが支持脚に対して前記第１関節の周りをスイベルで回転するように、第１関節を介して支持脚の端部に接合することが考えられた。さらに、支持脚に対して、連結機構ひいてはカメラの位置の固定を可能にし、静止したショットを撮るために理想的な固定されたカメラの位置を作るか、又は操作者が自由自在に動くか傾くことができるようにカメラの位置の固定を解放する固定部材を含む可能性もまた考えられる。
【００１８】
本デバイスは、肩にカメラを載せて撮る全種類のショットのために一般的に使用され、撮影の間の移動中の操作者の動き及びそれ自体の振動は、伸縮バンドによって吸収されるため、カメラにそっと伝達され、それによって、安定した流動的なショット、パノラマショット、及び拡大縮小して固定したショットで撮影される映像のより優れた安定性を達成し、それによって映像の質を向上させる。
【００１９】
さらに、本デバイスは、ショットの際の位置を固定する可能性と共に、例えば、地面に向けてカメラの位置を定め、ハイアングルショットを撮影するために、操作者の肩からカメラを解放する可能性を考える。その場合、カメラは、支持脚を通じて、シースから他方の肩に置かれる伸縮バンドへ重量を伝達する。
【００２０】
操作者が、体を交差してハーネスを取り付け、レセプタクルシースを下方に向け、カメラと共に支持脚を配置するためにそれを下方に伸ばしさえすればいいので、説明した本デバイスは、容易に速やかに、組立又は分解をすることができる。前記カメラは、前もって又は後に、操作者によって連結機構に連結される。
【００２１】
ハーネスと支持脚の双方が、空間をほとんど占有せずに、便利に運べてもよい。支持脚が伸縮自在であってもよい可能性が考えられ、一方では、移動のために大きさを小さくし、他方では、ユーザの体格及び身長に従って、使用可能な状況において大きさを適応させることを可能にする。
【００２２】
さらに、伸縮バンドは、ユーザの外観に適応させるために延ばして調節可能であり、例えばユーザが本デバイスを使用する最初の時に時折この操作を行うことが考えられる。
【００２３】
さらに、好ましくは、レセプタクルシースは、伸縮バンドに対して関節接合し、レセプタクルシースによって形成される、伸縮バンドに対する角度が伸縮バンドに適応される様々な力に従って変化することを可能にし、それによって、ハーネスを使用する操作者の胴におけるシースの適切な位置調整だけでなく、伸縮バンドに働く力の適切な分配も容易にすることが言える。
【００２４】
さらに、本デバイスは、任意に相補的に、伸縮バンドに代わって、肩におけるデバイスの支持部分で構成されるための、パッド入りの補強材を有することが考えられる。補強材は、望ましくない擦れから肩及び首を保護する滑らかで丸い形状を有する湾曲した人間工学の構成を表し、体のより大きい接触面で伸縮バンドの負荷を分配する。
【００２５】
要するに、本デバイスは、ビデオカメラの重量を操作者に伝達し、分配することを可能にし、疲れ、疲労及びけがを軽減し、操作者がより高品質の映像を得る時間を長くすることを可能にし、最終的により優れた生産性をもたらす。
【００２６】
本発明の特徴をよりよく理解するのを助ける目的で、明細書を補足するために、本発明の好ましい実施形態に従い、前記明細書には、その不可欠な部分として、以下に示す、例示的で非限定的な様式で一連の図面が添付される。
【図面の簡単な説明】
【００２７】
【図１】ビデオカメラと共に本発明に係るデバイスを使用しているカメラの操作者を示す正面図
【図２】ビデオカメラと共に本発明に係るデバイスを使用しているカメラの操作者を示す背面図
【図３】ハーネスを付けている操作者の正面図
【図４】支持脚の端部に取り付けられる支持機構の斜視図
【図５】カメラを下方に向けている操作者を示す側面図
【図６】ローアングルショットを撮影する操作者を示す側面図
【発明を実施するための形態】
【００２８】
図を参照して、以下、本発明の対象を構成するビデオカメラ支持デバイスの好ましい実施形態を説明する。
【００２９】
図１に示すように、ビデオカメラ支持デバイスは、肩と前記肩と反対の脇腹との間で斜めに、カメラの操作者の胴及び背中の周りで取り付けられる伸縮バンド（２）と、伸縮バンド（２）から延び、前記脇腹に対応して、下方に向いて配置されるように見えるレセプタクルシース（３）とによって形成されるハーネス（１）を含む。
【００３０】
ハーネス（１）に対して相補的に、本デバイスは、レセプタクルシース（３）に収容される下端部と、ビデオカメラ（６）が連結され、次いで伸縮バンド（２）が配置される肩と反対側の操作者の肩に置かれているように見える連結機構（５）と結合する他方の上端部とを有する支持脚（４）を含む。
【００３１】
それゆえ、このように着想される本デバイスは、ビデオカメラ（６）の重量を操作者の両肩に分配することを意味する、力の伝達を可能にする。
【００３２】
図２は、伸縮バンド（２）が操作者の背中にどのように延びているのかと、伸縮バンド（２）につながり、肩の上の本デバイスの接触面を構成する、パッド入りの補強材（７）の組み込みとを示す。
【００３３】
図３は、支持脚（４）が無いハーネス（１）を示す。図３では、伸縮バンド（２）は図１の場合よりも短くなっていることがわかる。図１では、ビデオカメラ（６）によって支持脚（４）を通じてレセプタクルシース（３）へ、ひいては伸縮バンド（２）へ伝達される負荷の結果として、それが伸びているように見える。
【００３４】
図４に示される連結機構（５）は、ビデオカメラ（６）の支持部材に取り付けるためのガイド（８）と、ビデオカメラ（６）の連結を確実にするクイック連結部材（９）とを含む。さらに、同図４では、本デバイスは、連結機構（５）と支持脚（４）の上端部との間に第１関節（１０）を含み、それは、連結機構（５）及びそこに連結されるビデオカメラ（６）が支持脚（４）に対して前記第１関節（１０）の周りをスイベルで回転することを可能にすることがわかる。
【００３５】
図５又は図６は、図１の姿勢から支持脚（５）に対して第１関節（１０）の周りに、連結機構（５）と連結して回転させることによる、ビデオカメラ（６）の２つの姿勢を示す。
【００３６】
図４に示す第１関節（１０）は、支持脚（４）に対して、連結機構（５）ひいてはビデオカメラ（６）の固定を可能にし、結合した固定部材（１１）を有し、ビデオカメラ（６）の固定された位置を定める。
【００３７】
また、図３では、ハーネス（１）は、伸縮バンドを下方に引くために手又は指を入れることを容易にし、支持脚（４）を導入するために伸びることを容易にするための、レセプタクルシース（３）の下に配置されるプラー（１２）を有することがわかる。
【００３８】
さらに、図１は、組み立てる状況において操作者の周りのバンド（２）を閉じる連結機構（１３）を示す。
【００３９】
さらに、図１及び図３では、ハーネス（１）が、操作者の胴においてレセプタクルシース（３）の位置調整と、伸縮バンド（２）にかかる力の分配とを容易にするために、伸縮バンド（２）がレセプタクルシース（３）の周りをスイベルで回転することを可能にする、第２関節（１４）を伸縮バンド（２）とレセプタクルシース（３）との間に含むことが考えられる。
【図１】
2018505448.tif 000003
【図２】
2018505448.tif 000004
【図３】
2018505448.tif 000005
【図４】
2018505448.tif 000006
【図５】
2018505448.tif 000007
【図６】
2018505448.tif 000008
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
カメラの操作者の片方の肩と前記肩の反対側のカメラの操作者の脇腹との間で、カメラの操作者の胴及び背中の周りに斜めに取り付けるためのバンド（２）と、前記バンド（２）から延びるレセプタクルシース（３）と、によって形成されるハーネス（１）、
前記レセプタクルシース（３）に収容するための下端部と、上端部と、を有する支持脚（４）、及び
ビデオカメラ（６）の重量の一部が前記支持脚（４）を通じて、前記レセプタクルシース（３）に伝達し、次に前記バンド（２）に伝達するように、前記ビデオカメラ（６）を連結するために、前記支持脚（４）の前記上端部と結合する連結機構（５）、
を備え、
前記バンド（２）は、伸縮バンドであって、前記ビデオカメラ（６）によって前記支持脚（４）を通じて前記レセプタクルシース（３）に向かって前記伸縮バンド（２）に負荷が伝達された結果、縮んだ位置から伸びた位置へと伸びることができるような弾性材料で形成され、前記伸縮バンド（２）の張り及び伸びをもたらすように構成された、
カメラの操作者の両肩にビデオカメラの重量を分配するためのビデオカメラ支持デバイス。
【請求項２】
請求項１に記載のビデオカメラ支持デバイスであって、前記伸縮バンド（２）の縮んだ位置は、カメラの操作者の脇の高さに近い所のレセプタクルシース（３）の位置に対応し、前記伸縮バンド（２）の伸びた位置は、カメラの操作者の臀部の高さに近い所の前記レセプタクルシース（３）の位置に対応する、ビデオカメラ支持デバイス。
【請求項３】
請求項１に記載のビデオカメラ支持デバイスであって、前記連結機構（５）は、前記ビデオカメラ（６）の支持部材を取り付けるためのガイド（８）と、前記ビデオカメラ（６）の連結を確実に行うクイック連結部材（９）と、を備える、ビデオカメラ支持デバイス。
【請求項４】
請求項１に記載のビデオカメラ支持デバイスであって、前記連結機構（５）及びそこに連結される前記ビデオカメラ（６）が前記支持脚（４）に対して第１関節（１０）の周りをスイベルで回転することを可能にする第１関節（１０）を、前記連結機構（５）と前記支持脚（４）の前記上端部との間にさらに備える、ビデオカメラ支持デバイス。
【請求項５】
請求項４に記載のビデオカメラ支持デバイスであって、前記支持脚（４）に対して前記連結機構（５）ひいては前記ビデオカメラ（６）の位置の固定を可能にする、前記第１関節（１０）と結合する固定部材（１１）をさらに備える、ビデオカメラ支持デバイス。
【請求項６】
請求項１に記載のビデオカメラ支持デバイスであって、前記伸縮バンド（２）につながり、カメラの操作者の肩に前記デバイスの接触面を構成するパッド入りの補強材（７）をさらに備える、ビデオカメラ支持デバイス。
【請求項７】
請求項１に記載のビデオカメラ支持デバイスであって、前記ハーネス（１）は、前記伸縮バンド（２）が前記レセプタクルシースの周りをスイベルで回転することを可能にする第２関節（１４）を、前記伸縮バンド（２）と前記レセプタクルシース（３）との間に含む、ビデオカメラ支持デバイス。
【請求項８】
請求項１に記載のビデオカメラ支持デバイスであって、前記ハーネス（１）は、前記伸縮バンドを下方に引くために手又は指の導入を容易にし、前記支持脚（４）の導入のために前記伸縮バンドの延長を容易にするために、前記レセプタクルシース（３）の下に配置されるプラー（１２）を有する、ビデオカメラ支持デバイス。
【国際調査報告】
2018505448.tif 000009
2018505448.tif 000010
2018505448.tif 000011
2018505448.tif 000012